(57)【要約】【課題】全体の大きさの調整が可能で且つＶＯＣの低減化を図ることのできるカウンターを提供する。【解決手段】前垂れ部１１と平面部１２とバックガード部１３とからなるカウンター１０において、前垂れ部１１と平面部１２との間及び平面部１２とバックガード部１３との間に、それぞれ嵌合用の凹凸部を設け、該凹凸部の嵌合又はビス止め等により前垂れ部１１と平面部１２とバックガード部１３とを機械的に連結結合している。これにより、現場の大きさに応じて平面部１２を切断し、全体の大きさを容易に変更することができる。また接着剤を多量に使用する必要がなく、ＶＯＣの低減化が可能である。更には、廃棄時に機械的結合を解放すれば、分解が容易であり、材料の分別が可能である。【選択図】　図１
2004105412.tif 000002
【特許請求の範囲】
【請求項１】
前垂れ部と平面部とバックガード部とからなるカウンターにおいて、前垂れ部と平面部との間及び平面部とバックガード部との間に、それぞれ嵌合用の凹凸部を設け、該凹凸部の嵌合又はビス止め等により前垂れ部と平面部とバックガード部とを機械的に連結結合したことを特徴とするカウンター。
【発明の詳細な説明】
【０００１】
【発明の属する技術分野】
本発明は、前垂れ部と平面部とバックガード部とを機械的に連結結合するようにしたカウンターに関するものである。
【０００２】
【従来の技術】
例えば、従来のキッチンキャビネットのカウンターは、図４に示すように、カウンター１の前垂れ部２と、平面部３と、バックガード部４とが一体的に形成されているのが通常である。
一方、従来にあっては、例えば図５に示す特許文献１に開示された技術のように、前垂れ部５と、平面部６と、バックガード部７とが別々に形成される分離型タイプのカウンター８も既に公知である。
【０００３】
【特許文献１】
特開平１１−９３７２号公報
【０００４】
【発明が解決しようとする課題】
ところが、図４に示す一体型のカウンター１にあっては、全体の寸法が決まっているため、予め大きさが決められたキッチンキャビネットにしか適用できず、汎用性に欠けるという問題があった。
【０００５】
また図５に示す、特許文献１に記載された分離型のカウンター８にあっては、それぞれの分離された前垂れ部５と、平面部６と、バックガード部７とのそれぞれの結合に接着剤９を多量に使用している。そのため、接着剤に含まれる揮発性有機化合物（Ｖｏｌａｔｉｌｅ　Ｏｒｇａｎｉｃ　Ｃｏｎｐｏｕｎｄｓ、以下はＶＯＣという）の低減化が困難であった。更には、複合材料の表面化粧材のみを取り替えるということができないため、台所設備の一部の模様替えが容易に行えないという問題があった。
【０００６】
本発明は従来の前記課題に鑑みてこれを改良除去したものであって、全体の大きさの調整が可能で且つＶＯＣの低減化を図ることのできるカウンターを提供せんとするものである。
【０００７】
【課題を解決するための手段】
而して、前記課題を解決するために本発明が採用した請求項１の手段は、前垂れ部と平面部とバックガード部とからなるカウンターにおいて、前垂れ部と平面部との間及び平面部とバックガード部との間に、それぞれ嵌合用の凹凸部を設け、該凹凸部の嵌合又はビス止め等により前垂れ部と平面部とバックガード部とを機械的に連結結合したことを特徴とするカウンターである。
この発明によれば、前垂れ部と、平面部と、バックガード部とがそれぞれ独立しており、相互に凹凸嵌合又はビス止め等により機械的に連結結合されている。従って、現場の大きさに応じて平面部を切断し、全体の大きさを容易に変更することができる。また接着剤を多量に使用する必要がなく、ＶＯＣの低減化が可能である。
【０００８】
【発明の実施の形態】
以下に、本発明の構成を図面に示す発明の実施の形態に基づいて説明すると次の通りである。図１及び図２は、本発明の一実施の形態に係るものであり、図１はカウンター１０の全体を示す縦断面図、図２はカウンター１０の分解斜視図である。図１に示すように、この実施の形態にあっては、カウンター１０の前垂れ部１１と、平面部１２と、バックガード部１３とをそれぞれ独立して別々に成形している。前垂れ部１１は、偏平した柱状の本体１１Ａを有し、その背面側に平面部１２の支承片１１Ｂが突出形成されている。一方、バックガード部１３は、同様に偏平した柱状の本体１３Ａを有し、その前面側の下端寄りに平面部１２の厚みに相当する凹部１３Ｂが形成されている。
【０００９】
なお、これらのカウンター１０を構成する前垂れ部１１と、平面部１２と、バックガード部１３とは、樹脂板，不燃性樹脂板，珪酸カルシウム板，木製の板，化粧板（木の表面に樹脂を取り付けたもの），金属板，ガラス製板等が適用可能である。不燃性材料（珪酸カルシウム板や不燃性樹脂板）を用いた場合は、カウンター全体を不燃化することが可能である。
【００１０】
前垂れ部１１と平面部１２との連結結合は、前垂れ部１１の支承片１１Ｂ上へ平面部１２の前端側の下面を載置し、支承片１１Ｂの下方側からこれを貫通してビス１４を螺子込んで機械的に行っている。またバックガード部１３と平面部１２との連結結合は、平面部１２の後端側をバックガード部１３の凹部１３Ｂへ嵌め込み、同様に下方側からこれらを貫通してビス１４を螺子込んで機械的に行っている。更に、カウンター１０の両側面部にあっては、連結後の前垂れ部１１と平面部１２とバックガード部１３の端面形状と同形状のカバー１５Ａ及び１５Ｂを嵌め込み、これらを貫通してビス１４を平面部１２の両側端面へ螺子込んで機械的に連結結合している。
【００１１】
このように前垂れ部１１と平面１２とバックガード部１３とがそれぞれ独立して形成され、相互に凹凸嵌合方式及びビス１４等による機械的な連結結合方式による結合構造であれば、平面部１２の端面を切断することにより、その全体の大きさを任意に調整することが可能である。また接着剤を使用するものではないため、ＶＯＣの問題も皆無である。更には、廃棄時の分別回収も容易である。
【００１２】
ところで、本発明は上述した実施の形態に限定されるものではなく、適宜の変更が可能である。例えば、図３に示すカウンター１６は、前垂れ部１７と平面部１８及び平面部１８とバックガード部１９とをそれぞれ凹凸嵌合方式とし、バックガード部１９の背面側に設けた取付孔２０を介してビス１４を螺子込み、機械的に連結結合するようにしている。なお、前垂れ部１７と平面部１８とは無理嵌めであるが、少量なら接着剤を用いるようにしてもよい。この場合の接着剤の使用量は、従来の場合に比較して著しく少量であり、ＶＯＣの低減化は可能である。また本発明の対象となるカウンターは、システムキッチンや洗面カウンター、浴室のカウンター等のあらゆるカウンターが適用可能である。
【００１３】
【発明の効果】
以上説明したように本発明にあっては、前垂れ部と平面部とバックガード部とからなるカウンターにおいて、前垂れ部と平面部との間及び平面部とバックガード部との間に、それぞれ嵌合用の凹凸部を設け、該凹凸部の嵌合又はビス止め等により前垂れ部と平面部とバックガード部とを機械的に連結結合したから、現場の大きさに応じて平面部を切断し、全体の大きさを容易に変更することができる。また接着剤を多量に使用する必要がなく、ＶＯＣの低減化が可能である。更には、廃棄時に機械的結合を解放すれば、分解が容易であり、材料の分別が可能である。
【図面の簡単な説明】
【図１】本願発明の一実施例に係るカウンターの縦断面図である。
【図２】本願発明の一実施例に係るカウンターの分解斜視図である。
【図３】本発明に係るカウンターの連結構造の変形例を示す縦断面図である。
【図４】従来のカウンターを示す縦断面図である。
【図５】従来の別のカウンターを示す縦断面図である。
【符号の説明】
１０…カウンター、１１…前垂れ部、１１Ａ…前垂れ部本体、１１Ｂ…支承片、１２…平面部、１３…バックガード部、１３Ａ…バックガード部本体、１３Ｂ…凹部、１４…ビス、１５Ａ，１５Ｂ…左右端面のカバー、１６…カウンタ
ー、１７…前垂れ部、１８…平面部、１９…バックガード部、２０…取付孔
【図１】
2004105412.tif 000003
【図２】
2004105412.tif 000004
【図３】
2004105412.tif 000005
【図４】
2004105412.tif 000006
【図５】
2004105412.tif 000007